(57)【特許請求の範囲】
【請求項１】
所定の符号化方式にて符号化された動画像の符号化信号を受けて、該符号化信号に所定の処理を施してその符号化信号を出力する符号化信号処理装置であって、該装置は、
入力する符号化信号を順次蓄積する符号記憶手段と、
入力する符号化信号を元の動画像信号に復号する復号手段と、
該復号手段にて復号した動画像信号を再び所定の符号化方式にて再符号化する符号化手段と、
該符号化手段からの符号化信号または前記符号記憶手段からの符号化信号のいずれかを選択的に出力する選択手段と、
前記符号化記憶手段からの符号化信号の読出し、および前記符号化手段からの符号化信号の出力ならびに前記選択手段の切替えを制御する信号制御手段であって、動画像信号のフレーム同期信号の基準となる所定の基準同期信号に基づいて前記符号記憶手段または前記符号化手段からの符号化信号をフレーム毎に同期をとって読み出して前記選択手段に選択させる信号制御手段と、
前記選択手段にて選択される符号化信号に所定の信号処理を施してその動画像を処理し、符号化信号のまま出力する符号化信号処理手段とを含むことを特徴とする符号化信号処理装置。
【請求項２】
請求項１に記載の符号化信号処理装置において、前記信号制御手段は、前記復号手段にて復号した元の動画像信号のフレーム同期信号を検出する同期信号検出手段と、前記基準同期信号を独立に生成する基準同期信号生成手段と、該基準同期信号生成手段にて生成した基準同期信号と前記同期信号検出手段にて検出したフレーム同期信号とを比較してその位相差を検出する位相検出手段と、前記基準同期信号生成手段からの基準同期信号に基づいて前記符号記憶手段から符号化信号を読み出して前記選択手段を介して出力させるタイミング制御手段であって、前記位相検出手段にて検出した位相差が第１の所定値以下となった場合に前記符号記憶手段から所定のフレームの符号化信号を２回読み出し、位相差が第２の所定値以上となった場合に前記選択手段を切り替えて前記符号化手段に所定のフレームの動画像信号を間引いて再符号化した所定区間の符号化信号を出力させるタイミング制御手段とを含むことを特徴とする符号化信号処理装置。
【請求項３】
所定の符号化方式にて符号化された動画像の第１の符号化信号と第２の符号化信号とを受けて、これらの同期をとって所定の処理を施してその符号化信号を出力する符号化信号処理装置であって、該装置は、
それぞれ、入力する符号化信号を順次蓄積する符号記憶手段と、入力する符号化信号を元の動画像信号に復号する復号手段と、該復号手段にて復号した動画像信号を再び所定の符号化方式にて再符号化する符号化手段と、該符号化手段からの符号化信号または前記符号記憶手段からの符号化信号のいずれかを選択的に出力する選択手段と、前記符号化記憶手段からの符号化信号の読出し、および前記符号化手段からの符号化信号の出力ならびに前記選択手段の切替えを制御する信号制御手段とを含む第１および第２の系統と、
前記第１および第２の系統の選択手段にて選択される符号化信号に所定の信号処理を施してその動画像を処理し、符号化信号のまま出力する符号化信号処理手段とを含み、
前記第１の系統の符号記憶手段および復号手段は前記第１の符号化信号を入力し、前記第２の系統の符号記憶手段および復号手段は前記第２の符号化信号を入力し、前記第１および第２の系統の信号制御手段は、動画像信号のフレーム同期信号の基準となる共通の基準同期信号に基づいて第１の符号化信号および第２の符号化信号のフレーム毎の同期をとって前記符号化信号処理手段に供給することを特徴とする符号化信号処理装置。
【請求項４】
請求項３に記載の符号化信号処理装置において、前記第１および第２の系統の信号制御手段は、前記復号手段にて復号した元の動画像信号のフレーム同期信号を検出する同期信号検出手段と、前記基準同期信号と前記同期信号検出手段にて検出したフレーム同期信号とを比較してその位相差を検出する位相検出手段と、前記基準同期信号に基づいて前記符号記憶手段から符号化信号を読み出して前記選択手段を介して出力させるタイミング制御手段であって、前記位相検出手段にて検出した位相差が第１の所定値以下となった場合に前記符号記憶手段から所定のフレームの符号化信号を２回読み出し、位相差が第２の所定値以上となった場合に前記選択手段を切り替えて前記符号化手段に所定のフレームの動画像信号を間引いて再符号化した所定区間の符号化信号を出力させるタイミング制御手段とを含むことを特徴とする符号化信号処理装置。
【請求項５】
請求項２または４に記載の符号化信号処理装置において、入力する符号化信号は、所定のフレーム間隔毎にフレーム内符号化された符号とそれらの間のフレームにて片方向予測または双方向予測によりフレーム間符号化されたそれぞれの符号とを含み、前記タイミング制御手段は、前記位相検出手段にて検出した位相差が第１の所定値以下となった場合に前記符号記憶手段からその後の最初のフレーム内符号化された符号を読み出す際に該符号を２回読み出し、位相差が第２の所定値以上となった場合にその後の最初のフレーム内符号化された符号と次のフレーム内符号化された符号間に在るフレーム間符号化された符号のうちのいずれかを間引いて残りを再符号化した符号化信号を前記次のフレーム内符号化された符号まで前記符号化手段に出力させることを特徴とする符号化信号処理装置。
【請求項６】
所定の符号化方式にて符号化された動画像の第１の符号化信号と第２の符号化信号とを受けて、これらの同期をとって所定の処理を施してその符号化信号を出力する符号化信号処理装置であって、該装置は、
入力する第１の符号化信号を順次蓄積する第１符号化記憶手段と、
入力する第１の符号化信号を元の動画像信号に復号する第１復号手段と、
該復号した動画像信号を再び所定の符号化方式にて再符号化する符号化手段と、
前記符号化手段からの符号化信号または前記符号記憶手段からの符号化信号のいずれかを選択的に出力する選択手段と、
第１符号化記憶手段からの符号化信号の読出し、前記符号化手段からの符号化信号の出力および前記選択手段の切替えのそれぞれを制御する信号制御手段と、
入力する第２の符号化信号を順次蓄積する第２符号化記憶手段と、
前記選択手段からの符号化信号と第２符号化記憶手段からの符号化信号に所定の信号処理を施してその動画像を処理し、符号化信号を出力する符号化信号処理手段とを含み、
前記信号制御手段は、第２の符号化信号を復号する第２復号手段にて復号した際に元の動画像信号のフレーム同期信号に基づいて第１の符号化信号をフレーム毎に対して第２の符号化信号のフレームそれぞれと同期をとって前記符号化信号処理手段に供給する制御を行うことを特徴とする符号化信号処理装置。
【請求項７】
請求項６に記載の符号化信号処理装置において、前記信号制御手段は、前記第１の符号化信号を復号する復号手段にて復号した元の動画像信号のフレーム同期信号を検出する第１の同期信号検出手段と、前記第２の符号化信号を復号する復号手段にて復号した元の動画像信号のフレーム同期信号を検出する第２の同期信号検出手段と、前記第１および第２の同期信号検出手段にて検出したフレーム同期信号を比較してその位相差を検出する位相検出手段と、前記第２の符号化信号を復号する復号手段からのフレーム同期信号に基づいて前記第１の符号化信号を順次蓄積する符号記憶手段から符号化信号を読み出して前記選択手段を介して出力させるタイミング制御手段であって、前記位相検出手段にて検出した位相差が第１の所定値以下となった場合に前記符号記憶手段から所定のフレームの符号化信号を２回読み出し、位相差が第２の所定値以上となった場合に前記選択手段を切り替えて前記符号化手段に所定のフレームの動画像信号を間引いて再符号化した所定区間の符号化信号を出力させるタイミング制御手段とを含むことを特徴とする符号化信号処理装置。
【請求項８】
請求項７に記載の符号化信号処理装置において、第１の符号化信号は、所定のフレーム間隔毎にフレーム内符号化された符号とそれらの間のフレームにて片方向予測または双方向予測によりフレーム間符号化されたそれぞれの符号とを含み、前記タイミング制御手段は、前記位相検出手段にて検出した位相差が第１の所定値以下となった場合に前記第１の符号化信号を順次蓄積する符号記憶手段からその後の最初のフレーム内符号化された符号を読み出す際に該符号を２回読み出し、位相差が第２の所定値以上となった場合にその後の最初のフレーム内符号化された符号と次のフレーム内符号化された符号間に在るフレーム間符号化された符号のうちのいずれかを間引いて残りを再符号化した符号化信号を前記次のフレーム内符号化された符号まで前記符号化手段に出力させることを特徴とする符号化信号処理装置。
【請求項９】
所定の符号化方式にて符号化された動画像の符号化信号の同期をとって信号処理する符号化信号の同期処理方法において、該方法は、
入力する符号化信号を復号してそれぞれの画像の同期信号を検出する第１の工程と、
該第１の工程にて検出した同期信号を所定の基準同期信号と比較してその位相差を検出する第２の工程と、
入力する符号化信号を一旦蓄積して所定の基準同期信号に応動して読み出す第３の工程と、
入力する符号化信号を復号してその復号した動画像信号を順次再符号化する第４の工程と、
前記第３の工程からの符号化信号と前記第４の工程からの符号化信号のいずれかを選択して処理する第５の工程とを含み、
前記第２の工程にて検出した位相差が所定の第１の値以下となる場合に、フレーム内符号化された符号化フレームを前記第３の工程にて２回続けて読み出して同期をとる第６の工程と、
前記第２の工程にて検出した位相差が所定の第２の値以上となる場合に、前記第４の工程にて復号した動画像信号のうちフレーム内符号化された符号化フレーム間にてフレーム間符号化された符号化フレームを復号した動画像信号のうちいずれかを間引いて残りの動画像信号を再符号化して同期をとる第７の工程とを含むことを特徴とする符号化信号の同期処理方法。
【発明の詳細な説明】
【０００１】
【発明の属する技術分野】
本発明は、符号化信号処理装置および符号化信号の同期処理方法に係り、特にたとえば、同期の異なる符号化信号を信号処理して伝送あるいは蓄積する際に用いて好適な符号化信号処理装置および符号化信号の同期処理方法に関するものである。
【０００２】
【従来の技術】
近年、たとえば、テレビジョン信号などの動画像信号を伝送あるいは所定の記録媒体などに記録する場合に、その動画像信号をＭＰＥＧ（ｍｏｖｉｎｇ  ｐｉｃｔｕｒｅ  ｅｘｐｅｒｔｓ  ｇｒｏｕｐ）などの所定の符号化方式にて高能率圧縮して伝送あるいは記録する手法が一般に行なわれるようになってきた。
【０００３】
一方、２つの同期の異なるテレビジョン信号を合成あるいは場面切替などの処理をする場合には、フレームシンクロナイザなどにて場面毎に一旦同期をとった後にフレーム毎あるいはフィールド毎に両信号を合成し、または切替処理していた。フレームシンクロナイザでは、入力したテレビジョン信号から垂直同期信号および水平同期信号を分離して、これに応動してテレビジョン信号をバッファメモリに一旦書き込む。そして、両信号をバッファメモリから読み出す際に、内部にて生成した基準同期信号により垂直同期信号および水平同期信号を生成して、その基準同期信号に応動してバッファメモリから両テレビジョン信号を同期させて読み出して所定の処理を施すものであった。
【０００４】
従来、符号化された２つの動画像信号を上記のように信号処理を施して、さらに符号化信号として伝送あるいは蓄積する信号処理装置として、上記のようなフレームシンクロナイザを用いた符号化信号処理装置が考えられる。この場合、たとえば、ＭＰＥＧなどの符号化信号をそれぞれ復号する２つの復号器と、復号した輝度および色差（ＹＣ）信号からなるコンポーネント信号を元の複合映像信号としてのテレビジョン信号に戻す２つのエンコーダと、上記と同様のフレームシンクロナイザと、合成切替などの信号処理を施す信号処理回路と、複合映像信号をコンポーネント信号に変換するデコーダと、その出力を所定の符号化方式にて再符号化する符号器とが必要であった。
【０００５】
このような構成において、まず、入力した符号化信号は、それぞれの復号器にて復号されてＹＣ信号を含むディジタルのコンポーネント信号となる。それぞれのコンポーネント信号は、エンコーダにてＹＣ信号を重畳した複合映像信号に変換されて、さらにディジタル−アナログ変換されて元のアナログのテレビジョン信号となる。この際、それぞれのフレームあるいはフィールドの垂直同期信号および水平同期信号が抽出されてフレームシンクロナイザに供給される。
【０００６】
それぞれのフレームシンクロナイザでは、供給されるテレビジョン信号をアナログ−ディジタル変換してから、抽出された垂直同期信号および水平同期信号に応動してバッファメモリに一旦書き込む。それぞれバッファメモリに書き込まれたテレビジョン信号は、共通の基準同期信号に応動して、バッファメモリから読み出されて信号処理回路に供給される。
【０００７】
これにより、信号処理回路では、２つの同期した動画像信号を合成あるいは画面毎に切り替えて、信号処理した１つの映像信号として出力する。信号処理回路からの映像信号はディジタル−アナログ変換されてから、デコーダにてＹＣ分離されてコンポーネント信号に変換される。コンポーネント信号に変換された映像信号は、符号化器にて、たとえばＭＰＥＧなどの符号化方式にて符号化されて、高能率圧縮された符号化信号として伝送あるいは所定の記憶装置に記録される。
【０００８】
【発明が解決しようとする課題】
しかしながら、上述したように従来の技術では、符号化された動画像信号を入力して、その動画像を合成あるいは画面切替などの信号処理をして、再び符号化して出力する際に、復号および信号変換ならびにディジタル−アナログ変換およびアナログ−ディジタル変換をした後に信号処理し、さらにディジタル−アナログ変換および信号変換ならびにアナログ−ディジタル変換してから符号化して出力するので、各種の信号変換のたびごとに画質が劣化していくおそれがあるという問題があった。
【０００９】
本発明は上述の課題を解決し、符号化信号のまま同期をとって所定の信号処理をすることができ、したがって画質劣化の少ない符号化信号処理装置および符号化信号の同期処理方法を提供することを目的とする。
【００１０】
【課題を解決するための手段】
本発明による符号化信号処理装置は、上述した課題を解決するために、所定の符号化方式にて符号化された動画像の符号化信号を受けて、その符号化信号に所定の処理を施してその符号化信号を出力する符号化信号処理装置であって、入力する符号化信号を順次蓄積する符号記憶手段と、入力する符号化信号を元の動画像信号に復号する復号手段と、復号手段にて復号した動画像信号を再び所定の符号化方式にて再符号化する符号化手段と、符号化手段からの符号化信号または符号記憶手段からの符号化信号のいずれかを選択的に出力する選択手段と、符号化記憶手段からの符号化信号の読出し、および符号化手段からの符号化信号の出力ならびに選択手段の切替えを制御する信号制御手段であって、動画像信号のフレーム同期信号の基準となる所定の基準同期信号に基づいて符号記憶手段または符号化手段からの符号化信号をフレーム毎に同期をとって読み出して選択手段に選択させる信号制御手段と、選択手段にて選択される符号化信号に所定の信号処理を施してその動画像を処理し、符号化信号のまま出力する符号化信号処理手段とを含むことを特徴とする。
【００１１】
また、本発明による符号化信号処理装置は、所定の符号化方式にて符号化された動画像の第１の符号化信号と第２の符号化信号とを受けて、これらの同期をとって所定の処理を施してその符号化信号を出力する符号化信号処理装置であって、それぞれ、入力する符号化信号を順次蓄積する符号記憶手段と、入力する符号化信号を元の動画像信号に復号する復号手段と、復号手段にて復号した動画像信号を再び所定の符号化方式にて再符号化する符号化手段と、符号化手段からの符号化信号または符号記憶手段からの符号化信号のいずれかを選択的に出力する選択手段と、符号化記憶手段からの符号化信号の読出し、および符号化手段からの符号化信号の出力ならびに選択手段の切替えを制御する信号制御手段とを含む第１および第２の系統と、第１および第２の系統の選択手段にて選択される符号化信号に所定の信号処理を施してその動画像を処理し、符号化信号のまま出力する符号化信号処理手段とを含み、第１の系統の符号記憶手段および復号手段は第１の符号化信号を入力し、第２の系統の符号記憶手段および復号手段は第２の符号化信号を入力し、第１および第２の系統の信号制御手段は、動画像信号のフレーム同期信号の基準となる共通の基準同期信号に基づいて第１の符号化信号および第２の符号化信号のフレーム毎の同期をとって符号化信号処理手段に供給することを特徴とする。
【００１２】
また、本発明による符号化信号処理装置は、所定の符号化方式にて符号化された動画像の第１の符号化信号と第２の符号化信号とを受けて、これらの同期をとって所定の処理を施してその符号化信号を出力する符号化信号処理装置であって、入力する第１の符号化信号を順次蓄積する符号記憶手段と、入力する第１の符号化信号を元の動画像信号に復号する復号手段と、符号化手段からの符号化信号または符号記憶手段からの符号化信号のいずれかを選択的に出力する選択手段と、符号化記憶手段からの符号化信号の読出し、および符号化手段からの符号化信号の出力ならびに選択手段の切替えを制御する信号制御手段と、入力する第２の符号化信号を順次蓄積する符号記憶手段と、入力する第２の符号化信号を元の動画像信号に復号する復号手段と、選択手段からの符号化信号および第２の符号化信号を順次蓄積する符号記憶手段からの符号化信号に所定の信号処理を施してその動画像を処理し、符号化信号のまま出力する符号化信号処理手段とを含み、信号制御手段は、第２の符号化信号を復号する復号手段にて復号した際の元の動画像信号のフレーム同期信号に基づいて第１の符号化信号をフレーム毎に第２の符号化信号のそれぞれのフレーム毎の符号に同期をとって符号化信号処理手段に供給することを特徴とする。
【００１３】
一方、本発明による符号化信号同期処理方法は、所定の符号化方式にて符号化された動画像の符号化信号の同期をとって信号処理する符号化信号の同期処理方法において、入力する符号化信号を復号してそれぞれの画像の同期信号を検出する第１の工程と、第１の工程にて検出した同期信号を所定の基準同期信号と比較してその位相差を検出する第２の工程と、入力する符号化信号を一旦蓄積して所定の基準同期信号に応動して読み出す第３の工程と、入力する符号化信号を復号してその復号した動画像信号を順次再符号化する第４の工程と、第３の工程からの符号化信号と第４の工程からの符号化信号のいずれかを選択して処理する第５の工程とを含み、第２の工程にて検出した位相差が所定の第１の値以下となる場合に、フレーム内符号化された符号化フレームを第３の工程にて２回続けて読み出して同期をとる第６の工程と、第２の工程にて検出した位相差が所定の第２の値以上となる場合に、第４の工程にて復号した動画像信号のうちフレーム内符号化された符号化フレーム間にてフレーム間符号化された符号化フレームを復号した動画像信号のうちいずれかを間引いて残りの動画像信号を再符号化して同期をとる第７の工程とを含むことを特徴とする。
【００１４】
【発明の実施の形態】
次に、添付図面を参照して本発明による符号化信号処理装置および符号化信号の同期処理方法の実施例を詳細に説明する。図１には、本発明による符号化信号の同期処理方法が適用された符号化信号処理装置の一実施例が示されている。本実施例による符号化信号処理装置は、たとえば、テレビジョン信号などの動画像信号をＭＰＥＧ（ｍｏｖｉｎｇ  ｐｉｃｔｕｒｅ  ｅｘｐｅｒｔｓ  ｇｒｏｕｐ）などの所定の符号化方式にて符号化した２つの符号化信号を受けて、これらを合成あるいは画面切替などの信号処理を施して出力する画像処理装置であり、本実施例では、その信号処理を施す２つの符号化信号の同期をとって符号化信号のまま信号処理して出力する同期化処理装置である。
【００１５】
特に、本実施例の符号化信号処理装置では、入力する２つの符号化信号を内部にて生成した基準同期信号によって同期をとる際に、それぞれの符号化信号を復号した場合の各フレームの同期信号と基準同期信号との位相差をそれぞれ検出して、所定の位相差以下の場合にフレーム内符号化された符号化フレームを挿入して同期をとる第１の経路と、所定の位相差以上の場合にフレーム内符号化された符号化フレーム間の符号のうちフレーム間符号化された符号化フレームを破棄して再度フレーム間符号化して同期をとる第２の経路をそれぞれ含む点が主な特徴点である。
【００１６】
詳しくは本実施例による符号化信号処理装置は、図１に示すように、第１の信号同期部１０と、第２の信号同期部２０と、同期制御部３０と、符号化信号処理回路４０とを含む。第１の信号同期部１０は、入力する第１の符号化信号を同期制御部３０の制御に基づいて同期をとって符号化信号処理回路４０に供給する同期回路であり、本実施例では、同図に示すように、第１の符号記憶回路１００  と、第１の遅延回路１０２  とを含む信号経路と、第１の復号回路１０４  と、第１の符号化回路１０６  とを含む信号経路と、それらのうちのいずれかを選択する第１の切替回路１０８  とを有する。
【００１７】
第１の符号記憶回路１００  は、入力する第１の符号化信号を順次蓄積して、同期制御部３０からの制御信号Ｔ１に応動してフレーム毎の符号が読み出されるバッファメモリであり、特に、本実施例では、後述するように、基準同期信号と第１の符号化信号を復号した際のフレーム同期信号の位相差が所定の値以下となるときに、その後のフレーム内符号化されているＩピクチャが２回読み出されてその同期をとる処理が行なわれる。入力する第１の符号化信号は、たとえばＭＰＥＧ符号化により所定のフレーム毎にフレーム内符号化されたＩピクチャと、前方向予測によりフレーム間符号化されたＰピクチャと、両方向予測によりフレーム間符号化されたＢピクチャとを含む。
【００１８】
第１の遅延回路１０２  は、第１の符号記憶回路１００  から読み出された符号を所定の時間遅延させて出力する回路であり、本実施例では、第１の符号化回路１０６  での符号化時間に応じた遅延時間が設定されている。遅延した符号は、フレーム毎に第１の切替回路１０８  を介して符号化信号処理回路４０に供給される。
【００１９】
第１の復号回路１０４  は、入力する第１の符号化信号を元の画像信号に復号するＭＰＥＧ対応の復号器であり、それぞれ復号した動画像信号を第１の符号化回路１０６  に供給する。本実施例では、復号した動画像信号のフレーム同期信号を同期制御部３０に供給する。
【００２０】
第１の符号化回路１０６  は、第１の復号回路１０４  にて復号された動画像信号を元の符号化信号と同様のＭＰＥＧ符号化により再符号化する符号器であり、本実施例では、同期制御部３０からの制御信号Ｔ２に応動して符号化してそれぞれのフレーム毎の符号を第１の切替回路１０８  に順次供給する。特に、本実施例では、後述するように、基準同期信号と第１の符号化信号を復号した際のフレーム同期信号との位相差が所定の値以上となったときに、所定のフレームの動画像信号を符号化せずに間引いて、これを含むフレーム内符号化間のそれぞれのフレームの動画像信号を再符号化して同期をとる処理が行なわれる。
【００２１】
第１の切替回路１０８  は、第１の遅延回路１０２  の出力と第１の符号化回路１０６  の出力のいずれかを選択してその符号化信号を符号化信号処理回路４０に順次供給する選択回路であり、本実施例では、同期制御部３０からの制御信号Ｔ３に応動してその接続を切り替えるスイッチング素子が有効に適用される。本実施例では、たとえば、基準同期信号と第１の符号化信号を復号した際のフレーム同期信号との位相差が所定の値以上となる場合にのみ所定の期間、第１の符号化回路１０６  に接続され、その他の場合には第１の遅延回路１０２  に接続されている。
【００２２】
一方、第２の信号同期部２０は、入力する第２の符号化信号を同期制御部３０の制御に基づいて同期をとって符号化信号処理回路４０に供給する同期回路であり、第１の信号同期部１０と同様に、第２の符号記憶回路２００  と、第２の遅延回路２０２  とを含む信号経路と、第２の復号回路２０４  と、第２の符号化回路２０６  とを含む信号経路と、それらのうちのいずれかを選択する第２の切替回路２０８  とを有する。
【００２３】
第２の符号記憶回路２００  は、入力する第２の符号化信号を順次蓄積して同期制御部３０からの制御信号Ｔ４に応動してフレーム毎の符号が読み出されるバッファメモリであり、第１の符号記憶回路１００  と同様に、基準同期信号と第２の符号化信号を復号した際のフレーム同期信号の位相差が所定の値以下となる場合、その後のフレーム内符号化されているＩピクチャが２回読み出されてその同期をとる処理が行なわれる。第２の符号化信号は、第１の符号化信号と同様に、Ｉピクチャと、Ｐピクチャと、Ｂピクチャとを含むＭＰＥＧ符号化により符号化された符号化信号である。
【００２４】
第２の遅延回路２０２  は、第２の符号記憶回路２００  から読み出された符号を所定の時間遅延させて出力する回路であり、本実施例では、第２の符号化回路２０６  での符号化時間に応じた遅延時間が設定されている。遅延した符号は、フレーム毎に第２の切替回路２０８  を介して符号化信号処理回路４０に供給される。
【００２５】
第２の復号回路２０４  は、第１の復号回路１０４  と同様に、入力する第２の符号化信号を元の動画像信号に復号して第２の符号化回路２０６  に供給するＭＰＥＧ対応の復号器であり、第２の符号化信号を復号した元の動画像信号のフレーム同期信号を同期制御部３０に供給する。
【００２６】
第２の符号化回路２０６  は、第２の復号回路２０４  にて復号された動画像信号を同期制御部３０からの制御信号Ｔ５に応動して元の符号化信号と同様のＭＰＥＧ符号化により再符号化する符号器であり、第１の符号化回路１０６  と同様に、基準同期信号と第２の符号化信号を復号した際のフレーム同期信号との位相差が所定の値以上となったときに、所定のフレームの動画像信号を符号化せずに間引いて、これを含むフレーム内符号化間のそれぞれのフレームの動画像信号を再符号化してその出力の同期をとる処理が行なわれる。
【００２７】
第２の切替回路２０８  は、第２の遅延回路２０２  の出力と第２の符号化回路２０６  の出力のいずれかを同期制御部３０からの制御信号Ｔ６に応動して選択して、その符号化信号を符号化信号処理回路４０に順次供給する選択回路であり、第１の切替回路１０８  と同様に、基準同期信号と第２の符号化信号を復号した際のフレーム同期信号との位相差が所定の値以上となる場合にのみ所定の期間だけ第２の符号化回路２０６  に接続されてその再符号化された符号化信号を選択し、その他の場合には第２の遅延回路２０２  に接続されて第２の符号記憶回路２００  からの符号化信号を選択する。
【００２８】
他方、同期制御部３０は、第１の信号同期部１０と第２の信号同期部２０とを制御してそれぞれの符号化信号の同期をとる制御回路であり、本実施例では、同図に示すように、第１および第２の同期信号検出回路３００，３０２  と、第１および第２の位相検出回路３０４，３０６  と、基準同期信号発生回路３０８  と、第１および第２のタイミングコントローラ３１０，３１２  とを含む。
【００２９】
第１の同期信号検出回路３００  は、第１の復号回路１０４  にて第１の符号化信号を復号した際の動画像信号のフレーム同期信号を検出する回路であり、その結果を第１の位相検出回路３０４  供給する。その際、本実施例では元の符号化フレームがＩ，Ｐ，Ｂ  ピクチャのいずれであったかをそのヘッダから検出して、その種類を表わす識別信号を第１のタイミングコントローラ３１２  に供給する識別機能を含む。
【００３０】
同様に、第２の同期信号検出回路３０２  は、第２の復号回路２０４  にて第２の符号化信号を復号した際の動画像信号のフレーム同期信号およびＩ，Ｐ，Ｂ  ピクチャの種類を検出する回路であり、その結果を第２の位相検出回路３０６  および第２のタイミングコントローラ３１２  にそれぞれ供給する。
【００３１】
第１の位相検出回路３０４  は、第１の同期信号検出回路３００  にて検出した第１の符号化信号を復号した際のフレーム同期信号と基準同期信号発生回路３０８  からの基準同期信号とを比較してその位相差を検出する検出回路であり、その検出結果を第１のタイミングコントローラ３１０  に供給する。
【００３２】
同様に、第２の位相検出回路３０６  は、第２の同期信号検出回路３０２  にて検出した第２の符号化信号を復号した際のフレーム同期信号と基準同期信号発生回路３０８  からの基準同期信号との位相差を検出する検出回路であり、その検出結果を第２のタイミングコントローラ３１２  に供給する。
【００３３】
基準同期信号発生回路３０８  は、たとえば、所定の周波数の基準同期信号を生成する電圧制御発振器（ＶＣＯ）  などを含む発振回路であり、本実施例では、毎秒３０フレームの動画像信号に応じたフレーム毎の同期信号を発生する。生成した基準同期信号は、第１および第２の位相検出回路３０４，３０６  と、第１および第２のタイミングコントローラ３１０，３１２  にそれぞれ供給される。
【００３４】
第１のタイミングコントローラ３１０  は、基本的には基準同期信号発生回路３０８  からの基準同期信号に応動して第１の信号同期部１０に制御信号を供給して、その第１の符号化信号を基準同期信号に同期して出力させる同期回路であり、本実施例では第１の位相検出回路３０４  からの検出結果に基づいて、第１の符号記憶回路１００  からの符号の読出しを制御する制御信号Ｔ１と、第１の符号化回路１０６  の符号化タイミングを制御する制御信号Ｔ２と、第１の切替回路１０８  の切替タイミング制御する制御信号Ｔ３とをそれぞれ供給する制御信号生成回路である。
【００３５】
たとえば、制御信号T1は、第１の位相検出回路304 からの位相検出結果が所定の範囲内にあるとき、第１の符号記憶回路100 に基準同期信号に同期して供給されて、フレーム毎の符号を順次読み出す制御信号と、第１の位相検出回路304 からの位相検出結果が第１の所定値α以下となったとき、かつ第１の同期信号検出回路300 からＩピクチャを表わす識別信号が供給されたときに第１の符号記憶回路100 にＩピクチャを基準同期信号に同期させて２回読み出す制御信号とを含む。この際、第１の切替回路108 には第１の遅延回路102 を介して第１の符号記憶回路100 から供給される符号化信号を選択する制御信号T3が供給される。
【００３６】
第１の符号化回路１０６  への制御信号Ｔ２は、第１の位相検出回路３０４  からの位相検出結果が第２の所定値β以上となったとき、かつ第１の同期信号検出回路３００  からＩピクチャを表わす識別信号が供給されたときに出力されて、その後のＢピクチャが復号された画像信号を間引いて残りのフレームの動画像信号を再符号化させて順次出力させる開始の制御信号と、第１の同期信号検出回路３００  から次のＩピクチャを表わす識別信号が供給されたときに符号化出力を停止させる終了の制御信号とを含む。この間、第１の切替回路１０８  には、第１の符号化回路１０６  の出力を選択させる制御信号Ｔ３が供給される。
【００３７】
同様に、第２のタイミングコントローラ３１２  は、基準同期信号発生回路３０８  からの基準同期信号に応動して第２の信号同期部２０に制御信号を供給して、その第２の符号化信号の同期をとる同期回路であり、第１のタイミングコントローラ３１０  と同様に、第２の位相検出回路３０４  からの検出結果および第２の同期信号検出回路３０２  からの識別信号に基づいて、第２の符号記憶回路２００  にその符号の読出しを制御する制御信号Ｔ４を供給し、第２の符号化回路２０６  にその符号化のタイミングを制御する制御信号Ｔ５を供給し、第２の切替回路２０８  にその切替タイミングを制御する制御信号Ｔ６をそれぞれ供給する制御信号生成回路である。
【００３８】
他方、符号化信号処理回路４０は、第１の信号同期部１０からの第１の符号化信号と第２の信号同期部２０からの第２の符号化信号とに所定の信号処理を施す信号処理回路であり、本実施例では符号化信号のまま合成あるいは画面切替などの処理を施してその符号化信号を出力する符号化信号処理装置である。たとえば、本実施例に適用される符号化信号処理回路４０としては、本願の発明者と同一の発明者による特許出願（特願平０９−２５１７２１  ）などに記載された符号化信号処理装置を参照されたい。
【００３９】
次に、図２および図３を参照して本実施例による符号化信号の同期処理方法を上記構成による符号化信号処理装置の動作とともに説明すると、まず、第１の符号化信号と第２の符号化信号が順次入力すると、第１の符号化信号は、第１の符号記憶回路１００  に順次蓄積されるとともに第１の復号回路１０４  にて復号される。同様に、入力した第２の符号化信号は、第２の符号記憶回路２００  に順次蓄積されるとともに第２の復号回路２０４  にて復号される。
【００４０】
次に、第１の復号回路１０４  にて第１の符号化信号をそれぞれのフレーム毎に復号すると、それぞれのフレーム同期信号が第１の同期信号検出回路３００  にて検出されて、そのフレーム同期信号が第１の位相検出回路３０４  に供給される。この際、第１の同期信号検出回路３００  では第１の符号化信号の各フレーム毎のＩ，Ｐ，Ｂ  ピクチャの種類を検出して、その結果を第１のタイミングコントローラ３１０  に供給する。
【００４１】
同様に、第２の復号回路２０４  にて第２の符号化信号をそれぞれのフレーム毎に復号すると、それぞれのフレーム同期信号が第２の同期信号検出回路３０２  にて検出されて、そのフレーム同期信号が第２の位相検出回路３０６  に供給される。この際、上記と同様に第２の同期信号検出回路３０２  にて検出したＩ，Ｐ，Ｂ  ピクチャの種類が第２のタイミングコントローラ３１２  に供給される。
【００４２】
一方、基準同期信号発生回路３０８  では、基準同期信号が発生されて、それぞれ第１および第２の位相検出回路３０４，３０６  および第１および第２のタイミングコントローラ３１０，３１２  に順次供給される。
【００４３】
次に、第１の符号化信号を復号した際のフレーム同期信号と基準同期信号を受けた第１の位相検出回路３０４  では、それらの同期信号を比較して、その位相差を検出した結果を順次第１のタイミングコントローラ３１０  に供給する。同様に、第２の位相検出回路３０６  では、第２の符号化信号を復号した際のフレーム同期信号と基準同期信号を比較して、それらの位相差を検出して第２のタイミングコントローラ３１２  に順次供給する。
【００４４】
次に、第１のタイミングコントローラ３１０  では、第１の位相検出回路３０４  からの検出結果がその位相差が所定の範囲内にあるときは、基準同期信号に応動した制御信号Ｔ１を生成して、これを第１の符号記憶回路１００  に順次供給し、その読み出された信号経路を選択する制御信号Ｔ３を生成して第１の切替回路３０８  に供給する。
【００４５】
同様に、第２のタイミングコントローラ３１０  では、第２の位相検出回路３０６  からの検出結果を受けて、その位相差が所定の範囲内にあるときは、基準同期信号に応動した制御信号Ｔ４を生成して第２の符号記憶回路２００  に順次供給し、第２の切替回路２０８  にその信号経路を選択する制御信号Ｔ６を供給する。
【００４６】
この結果、第１の符号化信号と第２の符号化信号は、それぞれ基準同期信号に応動してそれぞれのフレーム毎に第１の符号記憶回路１００  および第２の符号記憶回路２００  から順次読み出されて、それぞれ第１の遅延回路１０２  または第２の遅延回路２０２  を介して第１の切替回路１０８  または第２の切替回路２０８  から符号化信号処理回路４０に順次供給される。
【００４７】
このようにして第１の符号化信号と第２の符号化信号を同期をとって符号化信号処理回路４０に供給している際に、たとえば、第１の符号化信号の位相が進んだ場合、これを復号した際のフレーム同期信号が第１の位相検出回路３０４  にて基準同期信号と比較されてその結果が第１のタイミングコントローラ３１０  に供給される。
【００４８】
たとえば、図２に示すように、第１の符号化信号のフレーム同期信号の周波数が基準同期信号の周波数より小さい場合には、フレーム同期信号の位相が基準同期信号位相より遅れてフレーム同期信号と基準同期信号との位相差が次第に小さくなり、ついには符号記憶回路１００  から符号化信号を正常に読み出せなくなる可能性がある。
【００４９】
本実施例では、その位相差が第１の所定値α以下になったときは、第１のタイミングコントローラ３１０  では、その後の第１の同期信号検出回路３００  からＩピクチャを表わす識別信号が供給されると、そのＩピクチャを第１の符号記憶回路１００  から基準同期信号に応動して読み出し、次いで、次の基準同期信号に応動して再びそのＩピクチャを第１の符号記憶回路１００  から読み出す。以下は上記と同様に、基準同期信号に応動して順次フレーム毎に記憶した符号を読み出して、第２の符号化信号との同期をとって符号化信号処理回路４０に供給する。
【００５０】
同様に、第２の符号化信号の位相が遅れ、その復号したフレームの同期信号が基準同期信号に対して位相差が第１の所定値以下となった場合には、これを第２の位相検出回路306 にて検出すると、その結果を受けた第２のタイミングコントローラ312 では、第２の符号記憶回路200 からＩピクチャを基準同期信号に応動して２回読み出して、その同期を調整する。なお、第１の所定値は、Ｉピクチャから次のＩピクチャまでの期間内に基準同期信号の位相がフレーム同期信号の位相を追い越すことが予測されるときの位相差を基準として設定される。
【００５１】
一方、たとえば、フレーム同期信号の周波数が基準同期信号より大きい場合には、第１の符号化信号の位相が進んでフレーム同期信号と基準同期信号との位相差が次第に大きくなり、ついには符号記憶回路１００  から符号化信号を正常に読み出せなくなる可能性がある。本実施例では、復号した際のフレーム同期信号が第１の同期信号検出回路３００  にて検出されると、これが第１の位相検出回路３０４  に供給されて基準同期信号との位相差が検出されて、その結果が第１のタイミングコントローラ３１０  に供給される。
【００５２】
この際、第１のコントローラでは、たとえば、図３に示すように、復号された際のフレーム同期信号が基準同期信号に対して第２の所定値β以上となったときは、その後のＩピクチャを検出すると、第１の符号化回路106 に符号化出力を開始する制御信号T2を供給し、第１の切替回路108 に第１の符号化回路106 からの符号を選択する制御信号T3を供給する。なお、第２の所定値βは、Ｉピクチャから次のＩピクチャまでの期間内に、基準同期信号の位相とフレーム同期信号の位相とのクロスが予測されるときの位相差を基準として設定される。
【００５３】
制御信号Ｔ２を受けた第１の符号化回路１０６  では、まず、第１の復号回路１０４  から受けたＩ１ピクチャを復号した元の画像信号をフレーム内符号化して、再符号化したＩ１ピクチャを基準同期信号に応動して出力する。次いで、Ｉ１ピクチャの前のたとえばＰピクチャからそれらの間のフレームの画像信号を両方向予測によるフレーム間符号によりＢピクチャとして符号化する。
【００５４】
この際、たとえば、Ｂ１ピクチャを復号した画像信号を間引いて符号化せず、次のＢ２ピクチャを復号した画像信号を再符号化してＢ２ピクチャを生成する。このＢ２ピクチャの符号は、Ｉ１ピクチャの符号を出力した際の次の基準同期信号に応動して出力される。以下、第１の符号化回路１０６  では、順次第１の復号回路１０４  から供給されるＰ１，Ｂ３，Ｂ４，Ｐ２  のピクチャを復号した動画像信号を再符号化して、それらのフレーム毎の符号を基準同期信号に応動して順次出力する。これらは第１の切替回路１０８  を介して順次符号化信号処理回路４０に供給される。
【００５５】
次いで、第１のタイミングコントローラ３１０  にて第１の同期信号検出回路３００  からＩピクチャ（Ｉ２ピクチャ）の識別信号を受けて、第１の符号化回路１０６  にてＩ２ピクチャの再符号化をして出力すると、第１のタイミングコントローラ３１０  から第１の符号化回路１０６  に符号化出力を停止させる制御信号Ｔ２を供給する。さらに、その出力が第１の切替回路１０８  を介して符号化信号処理回路４０に供給されると、第１のタイミングコントローラ３１０  は第１の切替回路１０８  を再び元の信号経路を選択するように制御信号Ｔ３を供給する。
【００５６】
次いで、第１のタイミングコントローラ３１０  から再び第１の符号記憶回路１００  に制御信号Ｔ１が供給されて、Ｉ２ピクチャに続くＢ５，Ｂ６．．．ピクチャの符号が基準同期信号に応動して読み出されて、第１の遅延回路１０２  から第１の切替回路１０８  を介して符号化信号処理回路４０に供給される。
【００５７】
同様に、第２の符号化信号の位相が進んで、その復号した際のフレーム同期信号が基準同期信号に対してその位相差が第２の所定値β以上となったときは、上記と同様に、その後のＩピクチャの識別信号を受けると、第２のタイミングコントローラ312 から第２の符号化回路206 に再符号化出力を指示する制御信号T5が供給される。
【００５８】
次に、制御信号Ｔ５を受けた第２の符号化回路２０６  では、上記と同様に、Ｉピクチャの次の符号化出力に相当するＢピクチャのフレームを間引いて残りの画像信号を順次再符号化して出力する。この際、第２の切替回路２０８  にはその符号化出力を選択する制御信号Ｔ６が供給されて、順次再符号化された符号化信号を符号化信号処理装置４０に供給する。次のＩピクチャまで第２の符号化回路２０６  にて再符号化して出力すると、その出力を停止させて、再び第２の切替回路２０８  を第２の符号記憶回路２００  からの信号経路に切り替えて、第２の符号化回路２０６  から出力されたフレームの符号化信号に続く符号化信号を第２の符号記憶回路２００  から読み出して出力する。
【００５９】
以下同様に、第１および第２のタイミングコントローラ310,312 は、入力する符号化信号を復号した際のフレーム同期信号と基準同期信号との位相差が所定の範囲内にあるときは、それぞれ符号記憶回路100,200 に蓄積した符号化信号を基準同期信号に応動して読み出して符号化信号処理回路40に送り、第１または第２の符号化信号の位相が遅れ、それを復号した際のフレーム同期信号が基準同期信号に対して第１の所定値α以下となるとき、かつ第１の同期信号検出回路300からIピクチャを表わす識別信号が供給されたときは、その後のIピクチャを符号記憶回路100または200から２回読み出して出力する。また、第１または第２の符号化信号が進んで、それを復号した際にフレーム同期信号が基準同期信号に対して第２の所定値β以上となるとき、かつ第１の同期信号検出回路300からIピクチャを表わす識別信号が供給されたときは、その後のBピクチャが復号された画像信号を間引いて残りのフレームの動画像信号を再符号化させて出力させる。
【００６０】
この結果、第１の信号同期部１０および第２の信号同期部２０から第１の符号化信号および第２の符号化信号がそれぞれ共通の基準同期信号に同期して符号化信号処理回路４０に供給される。符号化信号処理回路４０では、第１の符号化信号および第２の符号化信号を合成あるいは画面切替などの所定の信号処理を施して、符号化信号のまま出力することができる。
【００６１】
以上のように本実施例の符号化信号処理装置および符号化信号の同期処理方法によれば、それぞれ独立した同期にて入力する第１の符号化信号と第２の符号化信号の同期をとる際に、それぞれを動画像信号のフレーム毎の基準となる共通の基準同期信号にてその符号化信号のまま有効に同期をとって読み出し、いずれかの符号化信号の位相が遅れるときは、その符号化信号のＩピクチャを２回読み出することにより、また、いずれかの符号化信号の位相が進むときは、所定の画像を間引いた再符号化により、それぞれの位相を調整するので、入力する符号化信号をすべて復号せずに的確な位相同期を実現することができる。
【００６２】
したがって、符号化信号のすべてを復号して同期をとる場合と比較して画質劣化の少ない画像信号を符号化信号処理回路４０に供給することができ、異種同期の符号化信号の編集処理、たとえば信号の切替、ワイプ等を符号化信号処理回路４０にて有効に行なうことができる。
【００６３】
本実施例の符号化信号処理装置および符号化信号の同期処理方法による効果をより明確にするため、たとえば、図５に示すフレームシンクロナイザを用いた信号処理装置の比較例を参照して説明すると、この図に示す信号処理装置では、フレームシンクロナイザ５０，５２  にて同期をとるために、まず、入力する符号化信号をそれぞれ復号器５４，５６  にて復号して、その復号したコンポーネント信号をエンコーダ５８，６０  にてコンポジット信号に復号する。この際に、それぞれのフレーム毎の垂直および水平同期信号がＨ／Ｖ  分離回路６２，６４  にて分離され、またコンポジット信号はアナログ信号に変換される。
【００６４】
フレームシンクロナイザ５０，５２  では、アナログ信号をディジタル信号に変換して、その画像データをＨ／Ｖ  分離回路６２，６４  からの同期信号に応動してバッファメモリ６６，６８  に一旦蓄積してから、基準同期信号発生器７６で発生した基準同期信号に基づいて生成した共通の垂直および水平同期信号の基準同期信号に応動して読み出す。読み出された動画像信号は映像信号処理装置７０にて合成または画面切替の処理などが行なわれる。この後、さらに動画像信号はディジタル変換され、ＹＣ分離されてコンポーネント信号となり、さらに所定の符号化方式にて符号化されて伝送あるいは記録される。
【００６５】
このように比較例では復号および信号変換ならびにアナログ−ディジタル変換などの処理をしてから同期をとって、その画像信号を信号処理していた。そして、比較例ではその同期をとるためにすべての符号を変換しているため、画質劣化が大きくなる。これに対して本実施例では、復号−符号化を経由する信号は、入力信号の繰り返しまたはスキップが発生したときであり、その頻度は同期信号の周波数の差によるものであって、たとえば、周波数誤差が規格の０．１  ％程度としても１０００フレームにたかだか１回の割合である。
【００６６】
したがって、本実施例では、ほとんどの信号は符号記憶回路１００，２００  からのバイパス経路を通過した信号が選択されるため、大部分の映像信号は画質劣化のない符号化信号が使われることになる。しかも、画質劣化の原因である復号−符号化プロセスを経由する信号経路も輝度−色差信号分離やアナログ変換等のプロセスを経由しないため、画質劣化の程度は少ないものとなる。したがって、本実施例による符号化信号処理装置は、図５に示す信号処理装置と比較して、画質劣化の少ない有効な信号処理をすることができる。
【００６７】
次に、図４には本発明による符号化信号の同期処理方法が適用された符号化信号処理装置の他の実施例が示されている。本実施例の符号化信号処理装置において、上記実施例と異なる点は、入力する第１および第２の符号化信号の一方からのフレーム同期信号に基づいて他方の符号化信号の同期をとって信号処理する点が主な特徴点である。なお、図４において上記実施例と同様の部分には同符号を付してその説明は省略する。
【００６８】
詳しくは、本実施例の符号化信号処理装置において、第２の符号化信号が入力する第２の信号同期部８０は、第２の符号記憶回路２００  と、第２の遅延回路２０２  とを含む信号経路のみの構成であり、再符号化のための第２の復号回路２０４  および第２の符号化回路２０６  を含む信号経路と、第２の切替回路２０８  とを省略した構成である。第２の符号記憶回路２００  は、入力する第２の符号化信号を順次蓄積して同期制御部９０からの自己の符号化信号を復号した際のフレーム同期信号に応動してそれぞれのフレームの符号が読み出される。
【００６９】
本実施例の同期制御部９０は、上記実施例と同様に、第１の信号同期部１０を制御する第１の同期信号検出回路３００  と、第１の位相検出回路３０４  と、第１のタイミングコントローラ３１０  とを含み、さらに、第２の符号化信号を復号する復号回路９００  と、そのフレーム同期信号を検出する同期信号検出回路９０２  とを含む。同期信号検出回路９０２  は、復号回路９００  にて第２の符号化信号を復号した際のフレーム同期信号を検出して、これを第１の位相検出回路３０４  および第１のタイミングコントローラ３１０  に供給し、かつフレーム毎の符号を読み出す同期信号として第２の符号記憶回路２００  に供給する。
【００７０】
このような構成において、第１の符号化信号と第２の符号化信号とがそれぞれ入力すると、第１の符号化信号は、上記実施例と同様に第１の符号記憶回路１００  に順次蓄積されるとともに第１の復号回路１０４  にて復号される。第２の符号化信号は、第２の符号記憶回路２００  に順次蓄積されて、かつ、同期制御部９０に供給される。
【００７１】
次に、同期制御部９０では、復号回路９００  にて第２の符号化信号を復号して、その結果のフレーム同期信号を同期信号検出回路９０２  にて検出する。検出されたフレーム同期信号は、第１の位相検出回路３０４  および第１のタイミングコントローラ３１０  に順次供給されるとともに、第２の符号記憶回路２００  に供給されて、順次蓄積した第２の符号化信号がフレーム毎にその符号が読み出される。
【００７２】
一方、第１の同期信号検出回路３００  では、第１の復号回路１０４  から第１の符号化信号を復号した際のフレーム同期信号を検出して、第１の位相検出回路３０４  に供給する。これにより、第１の位相検出回路３０４  では、第１の符号化信号を復号した際のフレーム同期信号と、第２の符号化信号を復号した際のフレーム同期信号との位相差を検出して、その結果を第１のタイミングコントローラ３１０  に供給する。
【００７３】
フレーム同期信号の位相差の検出結果を受けた第１のタイミングコントローラ310 では、その位相差が所定の範囲内にあるときは、同期信号検出回路902 からの第２の符号化信号を復号した際のフレーム同期信号に応動して第１の符号記憶回路100 に制御信号T1を供給して、順次蓄積した第１の符号化信号をフレーム毎にその符号を読み出す。第１の符号化信号を復号した際のフレーム同期信号の位相が第２の符号化信号を復号した際のフレーム同期信号より遅れ、その位相差が第１の所定値以下になるときは、上記実施例と同様に、Ｉピクチャを２回読み出し、第１の符号化信号を復号した際のフレーム同期信号の位相が進んでその位相差が第２の所定値以上となるときは、上記実施例と同様にＩピクチャ間の所定のＢピクチャの画像を間引いて、それらの間の画像を再符号化して出力する。
この結果、第１の符号化信号を第２の符号化信号を復号した際のフレーム同期信号に応動してその同期を調整することにより、第１の符号化信号と第２の符号化信号の同期をとって符号化信号処理回路40に供給することができる。符号化信号処理回路40では、上記実施例と同様に、第１の符号化信号と第２の符号化信号に所定の処理を施して、その符号化信号のまま出力する。
【００７４】
この結果、第１の符号化信号を第２の符号化信号を復号した際のフレーム同期信号に応動してその同期を調整することにより、第１の符号化信号と第２の符号化信号の同期をとって符号化信号処理回路４０に供給することができる。符号化信号処理回路４０では、上記実施例と同様に、第１の符号化信号と第２の符号化信号に所定の処理を施して、その符号化信号のまま出力する。
【００７５】
以上のように本実施例の符号化信号処理装置および符号化信号の処理方法によれば、一方の符号化信号を復号した際のフレーム同期信号に応動して２つの符号化信号の同期をとって信号処理することができるので、一方の符号化信号はすべての符号を再符号化することなく信号処理することができる。したがって、一方の符号化信号では、さらに画質劣化を防止することができ、その信号処理を円滑に処理することができる。また、基準同期信号を発生する回路などを省略することができるので、回路構成を簡略化することができ、したがって、装置を安価なものとすることができる。
【００７６】
なお、上記各実施例では、２つの符号化信号の同期をとって信号処理する場合を例に挙げて説明したが、本発明においては、３以上の符号化信号の同期をとる場合にも適用することができ、また１つの符号化信号を所定の同期信号に同期して処理する場合にも適用することができる。
【００７７】
また、上記各実施例では、ＭＰＥＧによる符号化方式にて符号化された符号化信号を処理する場合を例に挙げて説明したが、本発明においては、他の符号化方式、たとえば動き補正を含むモーションＪＰＥＧ（ｊｏｉｎｔ  ｐｈｏｔｏｇｒａｐｈｉｃ  ｃｏｄｉｎｇ  ｅｘｐｅｒｔｓ  ｇｒｏｕｐ  ）などを適用してもよい。
【００７８】
【発明の効果】
以上説明したように本発明の符号化信号処理装置および符号化信号の同期処理方法によれば、入力する符号化信号の同期をとって信号処理する場合に、その符号化信号を復号した際のフレーム同期信号に基づいて順次蓄積した符号化信号または復号した動画像を再符号化した符号化信号を選択して信号処理するので、すべての符号化信号を復号することなく、必要な場合にのみ再符号化して、その復号および符号化などの信号変換の繰り返しによる画質の劣化を必要最小限に止めることができる。
【図面の簡単な説明】
【図１】本発明による符号化信号処理装置の一実施例を示す機能ブロック図である。
【図２】図１の実施例による符号化信号処理装置のフレーム同期信号の周波数が基準同期信号より小さい場合における位相同期処理を説明するためのタイミング図である。
【図３】図１の実施例による符号化信号処理装置のフレーム同期信号の周波数が基準同期信号より大きい場合における位相同期処理を説明するためのタイミング図である。
【図４】本発明による符号化信号処理装置の他の実施例を示す機能ブロック図である。
【図５】図１の実施例による符号化信号処理装置と比較するためのフレームシンクロナイザを用いた信号処理装置の比較例を示す機能ブロック図である。
【符号の説明】
１０  第１の信号同期部
２０  第２の信号同期部
３０  同期制御部
４０  符号化信号処理回路
１００，２００  符号記憶回路
１０４，２０４  復号回路
１０６，２０６  符号化回路
１０８，２０８  切替回路
【図１】
0003628908.tif 000002
【図２】
0003628908.tif 000003
【図３】
0003628908.tif 000004
【図４】
0003628908.tif 000005
【図５】
0003628908.tif 000006